【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により得られた画像データを記録手段に記録する記録制御手段と、
前記記録手段に記録されている画像データに対して整理済みでない画像データか否かを判断する判断手段と、
前記判断手段により整理済みでない画像データと判断された画像データを整理対象画像として表示させる表示制御手段と、
前記表示制御手段により整理対象画像として表示された画像データに対して整理を実行する整理実行手段と、
を備え、
前記判断手段は、
前記画像データの画像サイズが基準サイズより大きいとき、又は、前記画像データのズーム率が基準倍率より小さいときに、当該画像データが整理済みでない判断することを特徴とする撮像装置。
【請求項２】
被写体に対してズームを行なうズーム手段を備え、
前記記録制御手段は、
前記ズーム手段によりズームが行なわれた場合は、前記撮像手段により得られた画像データと、該ズームに基づくズーム倍率とを関連付けて記録し、
前記判断手段は、
画像データに関連付けられて記録されているズーム倍率に基づいて、該ズーム倍率が所定倍率より小さいか否かの条件を判定することを特徴とすることを特徴とする請求項１記載の撮像装置。
【請求項３】
前記基準サイズとなる画像サイズ、又は／及び、前記基準倍率となるズーム倍率をユーザが指定するための指定手段を備え、
前記判断手段は、
前記指定手段により指定された画像サイズ、又は／及び、ズーム倍率を、基準サイズ、基準倍率として判断することを特徴とする請求項１又は２記載の撮像装置。
【請求項４】
前記整理実行手段は、
前記表示制御手段により整理対象画像として表示された画像データの画像サイズをリサイズ、又は、該画像データをトリミング、又は、該画像データを削除することにより、整理を実行することを特徴とする請求項１乃至３の何れかに記載の撮像装置。
【請求項５】
被写体を撮像する撮像手段と、
前記撮像手段により得られた画像データを記録手段に記録する記録制御手段と、
前記記録手段に記録されている画像データに対して分類済みでないか否かを判断する判断手段と、
前記判断手段により分類済みでないと判断された画像データを分類対象画像として表示させる表示制御手段と、
前記表示制御手段により分類対象画像として表示された画像データに対して分類を実行する分類実行手段と、
を備え、
前記判断手段は、
前記画像データがユーザにより選択されたフォルダの中に記録されていないときに、当該画像データが分類済みでない判断することを特徴とする撮像装置。
【請求項６】
記録先のフォルダを指定するフォルダ指定手段を備え、
前記記録制御手段は、
前記フォルダ指定手段によりフォルダが指定された場合は、該指定されたフォルダに前記撮像手段により得られた画像データを記録することを特徴とする請求項５記載の撮像装置。
【請求項７】
前記判断手段は、
前記記録手段に記録されている画像データのうち、前記表示制御手段により整理対象画像、又は、分類対象画像として未だ表示されていない画像データのみを対象にして判断を行うことを特徴とする請求項１又は５記載の撮像装置。
【請求項８】
前記分類実行手段は、
前記記録手段の何れかのフォルダに画像データを記録することにより分類を実行することを特徴とする請求項５乃至７の何れかに記載の撮像装置。
【請求項９】
画像整理又は画像分類を行なうタイミングの条件を設定する整理／分類タイミング条件設定手段と、
前記整理／分類タイミング条件設定手段により設定された条件に基づいて、整理タイミング又は分類タイミングが到来したか否かを判断するタイミング判断手段と、
前記タイミング判断手段により、整理タイミング又は分類タイミングが到来したと判断された場合は、その旨を報知する報知手段と、
を備えたことを特徴とする請求項１乃至８の何れかに記載の撮像装置。
【請求項１０】
前記整理／分類タイミング条件設定手段は、
前記記録媒体の空き容量が所定容量より小さくなったかの条件、前記記録制御手段により画像データが記録されてから所定枚数に達したかの条件、前記記録制御手段により画像データが記録されてから所定時間経過したかの条件のうち、少なくとも１つの以上の条件であることを特徴とする請求項９記載の撮像装置。
【請求項１１】
被写体を撮像する撮像処理と、
前記撮像処理により得られた画像データを記録媒体に記録する記録処理と、
前記記録媒体に記録されている画像データに対して整理済みでない画像データか否かを判断する処理であり、前記画像データの画像サイズが基準サイズより大きいとき、又は、前記画像データのズーム率が基準倍率より小さいときに、当該画像データが整理済みでない判断する判断処理と、
前記判断処理により整理済みでない画像データと判断された画像データを整理対象画像として表示させる表示処理と、
前記表示処理により整理対象画像として表示された画像データに対して整理を実行する整理実行処理と、
を含み、上記各処理をコンピュータで実行させることを特徴とするプログラム。
【請求項１２】
被写体を撮像する撮像処理と、
前記撮像処理により得られた画像データを記録媒体に記録する記録処理と、
前記記録媒体に記録されている画像データに対して分類済みでないか否かを判断する処理であり、前記画像データがユーザにより選択されたフォルダの中に記録されていないときに、当該画像データが分類済みでない判断する判断処理と、
前記判断処理により分類済みでないと判断された画像データを分類対象画像として表示させる表示処理と、
前記表示処理により分類対象画像として表示された画像データに対して分類を実行する分類実行処理と、
を含み、上記各処理をコンピュータで実行させることを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体を撮像する撮像手段と、
前記撮像手段により得られた画像データを記録手段に記録する記録制御手段と、
前記記録手段に記録されている画像データに対して整理済みでない画像データか否かを判断する判断手段と、
前記判断手段により整理済みでない画像データと判断された画像データを整理対象画像として表示させる表示制御手段と、
前記表示制御手段により整理対象画像として表示された画像データに対して整理を実行する整理実行手段と、
を備え、
前記判断手段は、
前記画像データの画像サイズが基準サイズより大きいとき、又は、前記画像データのズーム率が基準倍率より小さいときに、当該画像データが整理済みでない判断することを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、例えば、請求項２に記載されているように、被写体に対してズームを行なうズーム手段を備え、
前記記録制御手段は、
前記ズーム手段によりズームが行なわれた場合は、前記撮像手段により得られた画像データと、該ズームに基づくズーム倍率とを関連付けて記録し、
前記判断手段は、
画像データに関連付けられて記録されているズーム倍率に基づいて、該ズーム倍率が所定倍率より小さいか否かの条件を判定するようにしてもよい。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
また、例えば、請求項３に記載されているように、前記基準サイズとなる画像サイズ、又は／及び、前記基準倍率となるズーム倍率をユーザが指定するための指定手段を備え、
前記判断手段は、
前記指定手段により指定された画像サイズ、又は／及び、ズーム倍率を、基準サイズ、基準倍率として判断するようにしてもよい。
【手続補正９】
【補正対象書類名】明細書
【補正対象項目名】００１３
【補正方法】変更
【補正の内容】
【００１３】
また、例えば、請求項４に記載されているように、前記整理実行手段は、
前記表示制御手段により整理対象画像として表示された画像データの画像サイズをリサイズ、又は、該画像データをトリミング、又は、該画像データを削除することにより、整理を実行するようにしてもよい。
【手続補正１０】
【補正対象書類名】明細書
【補正対象項目名】００１４
【補正方法】変更
【補正の内容】
【００１４】
上記目的達成のため、請求項５記載の発明による撮像装置は、被写体を撮像する撮像手段と、
前記撮像手段により得られた画像データを記録手段に記録する記録制御手段と、
前記記録手段に記録されている画像データに対して分類済みでないか否かを判断する判断手段と、
前記判断手段により分類済みでないと判断された画像データを分類対象画像として表示させる表示制御手段と、
前記表示制御手段により分類対象画像として表示された画像データに対して分類を実行する分類実行手段と、
を備え、
前記判断手段は、
前記画像データがユーザにより選択されたフォルダの中に記録されていないときに、当該画像データが分類済みでない判断することを特徴とする。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
また、例えば、請求項６に記載されているように、記録先のフォルダを指定するフォルダ指定手段を備え、
前記記録制御手段は、
前記フォルダ指定手段によりフォルダが指定された場合は、該指定されたフォルダに前記撮像手段により得られた画像データを記録するようにしてもよい。
【手続補正１３】
【補正対象書類名】明細書
【補正対象項目名】００１７
【補正方法】変更
【補正の内容】
【００１７】
また、例えば、請求項７に記載されているように、前記判断手段は、
前記記録手段に記録されている画像データのうち、前記表示制御手段により整理対象画像、又は、分類対象画像として未だ表示されていない画像データのみを対象にして判断を行うようにしてもよい。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、例えば、請求項８に記載されているように、前記分類実行手段は、
前記記録手段の何れかのフォルダに画像データを記録することにより分類を実行するようにしてもよい。
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
また、例えば、請求項９に記載されているように、画像整理又は画像分類を行なうタイミングの条件を設定する整理／分類タイミング条件設定手段と、
前記整理／分類タイミング条件設定手段により設定された条件に基づいて、整理タイミング又は分類タイミングが到来したか否かを判断するタイミング判断手段と、
前記タイミング判断手段により、整理タイミング又は分類タイミングが到来したと判断された場合は、その旨を報知する報知手段と、
を備えるようにしてもよい。
【手続補正１９】
【補正対象書類名】明細書
【補正対象項目名】００２３
【補正方法】変更
【補正の内容】
【００２３】
また、例えば、請求項１０に記載されているように、前記整理／分類タイミング条件設定手段は、
前記記録媒体の空き容量が所定容量より小さくなったかの条件、前記記録制御手段により画像データが記録されてから所定枚数に達したかの条件、前記記録制御手段により画像データが記録されてから所定時間経過したかの条件のうち、少なくとも１つの以上の条件であるようにしてもよい。
【手続補正２０】
【補正対象書類名】明細書
【補正対象項目名】００２４
【補正方法】変更
【補正の内容】
【００２４】
上記目的達成のため、請求項１１記載の発明によるプログラムは、被写体を撮像する撮像処理と、
前記撮像処理により得られた画像データを記録媒体に記録する記録処理と、
前記記録媒体に記録されている画像データに対して整理済みでない画像データか否かを判断する処理であり、前記画像データの画像サイズが基準サイズより大きいとき、又は、前記画像データのズーム率が基準倍率より小さいときに、当該画像データが整理済みでない判断する判断処理と、
前記判断処理により整理済みでない画像データと判断された画像データを整理対象画像として表示させる表示処理と、
前記表示処理により整理対象画像として表示された画像データに対して整理を実行する整理実行処理と、
を含み、上記各処理をコンピュータで実行させることを特徴とする。
【手続補正２１】
【補正対象書類名】明細書
【補正対象項目名】００２５
【補正方法】変更
【補正の内容】
【００２５】
上記目的達成のため、請求項１２記載の発明によるプログラムは、被写体を撮像する撮像処理と、
前記撮像処理により得られた画像データを記録媒体に記録する記録処理と、
前記記録媒体に記録されている画像データに対して分類済みでないか否かを判断する処理であり、前記画像データがユーザにより選択されたフォルダの中に記録されていないときに、当該画像データが分類済みでない判断する判断処理と、
前記判断処理により分類済みでないと判断された画像データを分類対象画像として表示させる表示処理と、
前記表示処理により分類対象画像として表示された画像データに対して分類を実行する分類実行処理と、
を含み、上記各処理をコンピュータで実行させることを特徴とする。